(57)【要約】【課題】より簡便に大型テレビジョン受像機を設置することを可能とする大型テレビジョン受像機の製造方法を提供することである。【解決手段】組み立て式の大型テレビジョン受像機の製造方法は、複数のベゼルレスＬＥＤモジュール２０を背面板部１６に面一に並べて整列配置するパネル配置工程と、配置された複数のベゼルレスＬＥＤモジュール２０により構成される大型ディスプレイ部１８の外周を覆う枠体を装着する枠体装着工程と、テレビジョン放送を受信して大型ディスプレイ部１８に画像を表示させる画像表示部１４を設置する表示部設置工程と、を備える。【選択図】図１
2019105743.tif 000002
【特許請求の範囲】
【請求項１】
複数のベゼルレスＬＥＤモジュールを背面板部に面一に並べて整列配置するパネル配置工程と、
配置された前記複数のベゼルレスＬＥＤモジュールにより構成される大型ディスプレイ部の外周を覆う枠体を装着する枠体装着工程と、
テレビジョン放送を受信して前記大型ディスプレイ部に画像を表示させる画像表示部を設置する表示部設置工程と、
を備えることを特徴とする組み立て式の大型テレビジョン受像機の製造方法。
【請求項２】
請求項１に記載の組み立て式の大型テレビジョン受像機の製造方法において、
前記枠体は、前記大型ディスプレイ部の外周の垂直方向に沿って装着される２つの垂直枠部と、前記大型ディスプレイ部の外周の水平方向に沿って装着される２つの水平枠部とを含み、
前記枠体装着工程は、前記２つの垂直枠部が互いに近接する方向に圧力をかけつつ装着し、前記２つの水平枠部が互いに近接する方向に圧力をかけつつ装着する工程を含むことを特徴とする組み立て式の大型テレビジョン受像機の製造方法。
【請求項３】
請求項２に記載の組み立て式の大型テレビジョン受像機の製造方法において、
前記背面板部は強磁性体を有し、
前記各ベゼルレスＬＥＤモジュールの少なくとも一部は、前記背面板部に吸着するように磁石が設けられており、
前記枠体装着工程は、前記各ベゼルレスＬＥＤモジュールを前記背面板部に吸着させつつ前記背面板部上を移動するように圧力をかけて装着することを特徴とする組み立て式の大型テレビジョン受像機の製造方法。
【請求項４】
請求項１〜請求項３のいずれか１項に記載の組み立て式の大型テレビジョン受像機の製造方法において、
前記背面板部及び前記枠体は、拡張可能な拡張機構を有しており、
前記背面板部及び前記枠体を拡張する拡張工程と、
前記大型ディスプレイ部の外周に別の複数のベゼルレスＬＥＤモジュールを整列配置する追加配置工程と、
前記別の複数のベゼルレスＬＥＤモジュールによって拡張された拡張大型ディスプレイ部の外周に対して拡張された前記枠体を装着する拡張枠体装着工程と、
を備えることを特徴とする組み立て式の大型テレビジョン受像機の製造方法。
【発明の詳細な説明】
【技術分野】
【０００１】
本発明は、組み立て式の大型テレビジョン受像機の製造方法に関する。
【背景技術】
【０００２】
従来、液晶テレビジョン受像機などが開発されている。テレビジョン受像機においては、一般家庭などにおいても大型テレビが好まれる傾向にある。比較的大型なものとして５０インチテレビがあるが、中には１００インチテレビといったものも開発されている。
【０００３】
本発明に関連する技術として、例えば、特許文献１には、前面側のフロントキャビネット及び背面側のバックキャビネットの間に液晶パネルモジュールが配置されており、該液晶パネルモジュールは前面側から背面側に向かって順に積層された液晶パネル、光学シート及び導光板を有し、光源から導光板に光を入射し、該導光板から光学シートに光を出射することにより、フロントキャビネットに設けられた開口から覗く液晶パネルの画面に画像を表示する液晶表示装置において、フロントキャビネットの背面における開口周りに形成してある複数の突部を備え、該突部は液晶パネル及び光学シートの合計厚よりも大きい高さを有することを特徴とする液晶表示装置が開示されている。
【先行技術文献】
【特許文献】
【０００４】
【特許文献１】特開２０１４−３８３５８号公報
【発明の概要】
【発明が解決しようとする課題】
【０００５】
１００インチのテレビであれば、画面サイズだけでも縦幅１２４．５０ｃｍ×横幅２２１．４０ｃｍであり、テレビジョン受像機全体の大きさを考慮すると、マンションやビルのエレベータの乗りかごに乗せることができない場合がある。
【０００６】
このような場合、マンションやビルの外でクレーンを使用して運搬するなど大掛かりな対応が必要となるため、１００インチ以上のテレビは普及していない。そこで、より簡便に大型テレビジョン受像機を設置して、１００インチ以上のテレビも普及してユーザーの選択の幅が広がることが望ましい。
【０００７】
本発明の目的は、より簡便に大型テレビジョン受像機を設置することを可能とする大型テレビジョン受像機の製造方法を提供することである。
【課題を解決するための手段】
【０００８】
本発明に係る組み立て式の大型テレビジョン受像機の製造方法は、複数のベゼルレスＬＥＤモジュールを背面板部に面一に並べて整列配置するパネル配置工程と、配置された前記複数のベゼルレスＬＥＤモジュールにより構成される大型ディスプレイ部の外周を覆う枠体を装着する枠体装着工程と、テレビジョン放送を受信して前記大型ディスプレイ部に画像を表示させる画像表示部を設置する表示部設置工程と、を備えることを特徴とする。
【０００９】
また、本発明に係る組み立て式の大型テレビジョン受像機の製造方法において、前記枠体は、前記大型ディスプレイ部の外周の垂直方向に沿って装着される２つの垂直枠部と、前記大型ディスプレイ部の外周の水平方向に沿って装着される２つの水平枠部とを含み、  前記枠体装着工程は、前記２つの垂直枠部が互いに近接する方向に圧力をかけつつ装着し、前記２つの水平枠部が互いに近接する方向に圧力をかけつつ装着する工程を含むことが好ましい。
【００１０】
また、本発明に係る組み立て式の大型テレビジョン受像機の製造方法において、前記背面板部は強磁性体を有し、前記各ベゼルレスＬＥＤモジュールの少なくとも一部は、前記背面板部に吸着するように磁石が設けられており、前記枠体装着工程は、前記各ベゼルレスＬＥＤモジュールを前記背面板部に吸着させつつ前記背面板部上を移動するように圧力をかけて装着することが好ましい。
【００１１】
また、本発明に係る組み立て式の大型テレビジョン受像機の製造方法において、前記背面板部及び前記枠体は、拡張可能な拡張機構を有しており、前記背面板部及び前記枠体を拡張する拡張工程と、前記大型ディスプレイ部の外周に別の複数のベゼルレスＬＥＤモジュールを整列配置する追加配置工程と、前記別の複数のベゼルレスＬＥＤモジュールによって拡張された拡張大型ディスプレイ部の外周に対して拡張された前記枠体を装着する拡張枠体装着工程と、を備えることが好ましい。
【発明の効果】
【００１２】
本発明によれば、複数のベゼルレスＬＥＤモジュールを整列配置して組み立てることができるため、分解した状態で運搬することができる。これにより、例えば、マンションやビルのエレベータが小さい場合であっても搬送できる。したがって、１００インチ以上の大型テレビも容易にマンションやビル内で設置することができるため、１００インチ以上の大型テレビも普及させてユーザーの選択の幅を広げることができる。
【図面の簡単な説明】
【００１３】
【図１】本発明に係る実施形態において、組み立て式の大型テレビジョン受像機を示す図である。
【図２】本発明に係る実施形態において、組み立て式の大型テレビジョン受像機の構成図である。
【図３】本発明に係る実施形態において、大型テレビジョン受像機の大型ディスプレイ部１８を組み立てる様子を示す図である。
【図４】本発明に係る実施形態において、大型テレビジョン受像機のベゼルレスＬＥＤモジュールの裏面と磁石の拡大図である。
【図５】本発明に係る実施形態において、組み立て式の大型テレビジョン受像機を組み立てる手順を示すフローチャートである。
【発明を実施するための形態】
【００１４】
以下に、本発明に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１５】
図１は、組み立て式の大型テレビジョン受像機１０を示す図である。図２は、組み立て式の大型テレビジョン受像機１０の構成図である。図３は、大型テレビジョン受像機１０の大型ディスプレイ部１８を組み立てる様子を示す図である。
【００１６】
図４は、大型テレビジョン受像機１０のベゼルレスＬＥＤモジュール２０の裏面と磁石２１の拡大図である。図５は、組み立て式の大型テレビジョン受像機１０を組み立てる手順を示すフローチャートである。
【００１７】
組み立て式の大型テレビジョン受像機１０は、設置場所に搬送した後で組み立てることが出来る大型テレビジョン受像機である。組み立て式の大型テレビジョン受像機１０は、大型画面部１２と、画像表示部１４とを備えている。
【００１８】
大型画像部１２は、大型ディスプレイ部１８と枠体２２とを備えている。大型ディスプレイ部１８は、複数のベゼルレスＬＥＤモジュール２０が背面板部１６に面一に並べて整列配置されている。ここでは、ベゼルレスＬＥＤモジュール２０が５行８列に整列配置されているものとして説明するが、もちろん、所望のテレビ画面のサイズにするために適宜増減させることが出来る。
【００１９】
背面板部１６は、一枚の木製の板状部材と複数の鉄製のフレームとを含んで構成される。複数のベゼルレスＬＥＤモジュール２０を配置する際には、４つのベゼルレスＬＥＤモジュール２０を１セットとして並べる鉄製のフレームに４つのベゼルレスＬＥＤモジュール２０を吸着させた後、木製の板状部材にボルト等の締結部材を用いて締結する。背面板部１６は、強磁性体を有する鉄製のフレームを備えているため、複数のベゼルレスＬＥＤモジュール２０の磁石２１が吸着可能となっている。
【００２０】
ここでは、背面板部１６は、一枚の木製の板状部材と複数の鉄製のフレームとを含み、１セットのベゼルレスＬＥＤモジュール２０を鉄製フレームに吸着させた後に各鉄製のフレームを板状部材に締結するものとして説明するが、これらを一体化して複数のベゼルレスＬＥＤモジュール２０を直接吸着させてもよい。
【００２１】
ベゼルレスＬＥＤモジュール２０は、ＲＧＢに対応する「赤」「緑」「青」を発光するＬＥＤとは「Ｌｉｇｈｔ  Ｅｍｉｔｔｉｎｇ  Ｄｉｏｄｅ」を搭載した表示器である。ＬＥＤのピッチ幅を狭くすることで高精細表示を実現している。また、ベゼルレスＬＥＤモジュール２０は、表示器の外枠（フレーム）が存在しないタイプの表示器である。
【００２２】
ベゼルレスＬＥＤモジュール２０は、略正方形の外形を有しており、表面は上記ＬＥＤによって画像が表示され、裏面には、図４に示されるように四隅に丸型の磁石２１が設けられている。これによって、背面板部１６を構成する鉄製のフレームに適度な強度で吸着することが可能となっている。
【００２３】
ベゼルレスＬＥＤモジュール２０は、液晶ディスプレイなどと異なり自発光素子であるため、液晶ディスプレイなどと比べて非常に明るく綺麗に映像を映し出すことができる。また、ＬＥＤを用いたベゼルレスＬＥＤモジュール２０は、消費電力が低く、長寿命で耐久性にも優れている。
【００２４】
枠体２２は、５行８列に行列配置された３５個のベゼルレスＬＥＤモジュール２０により構成されたもの大型ディスプレイ部１８の外周を覆う。枠体２２の内形（内側の外周）は、大型ディスプレイ部１８の外周よりも若干小さく設定されている。枠体２２は、適度な強度を有する材質、例えば、木材や金属を用いて構成することが出来るが、ここでは木材を用いて構成するものとして説明する。
【００２５】
図３に示されるように大型ディスプレイ部１８は横方向に長い長方形である。枠体２２は、長方形の大型ディスプレイ部１８を覆う枠である。枠体２２は、大型ディスプレイ部１８の外周の垂直方向に沿って装着される２つの垂直枠部２３と、大型ディスプレイ部１８の外周の水平方向に沿って装着される２つの水平枠部２５とを含んで構成される。
【００２６】
ここで、２つの水平枠部２５は、図３に示されるように、それぞれ、枠部２５ａ，２５６ｂ，２５ｃ，２５ｄに分離可能である。２つの水平枠部２５を構成する枠部２５ａ〜２５ｄと２つの垂直枠部２３とは、ボルト部材１７によって締め付けられることにより連結される。
【００２７】
また、図３に示されるように、枠体２２において、最も上の行に配置されたベゼルレスＬＥＤモジュール２０の上辺に対応する位置にボルト部材１９が配置されている。
【００２８】
画像表示部１４は、地上波デジタル放送（テレビジョン放送）を受信して大型ディスプレイ部１８に画像を表示させる機能を有している。画像表示部１４は、ＬＥＤディスプレイコントローラー２４と、マルチフォーマットマトリクススイッチャー２６と、ＨＤＭＩ（登録商標）切替機２８と、スピーカーアンプ３０と、チューナー３２とを備えている。画像表示部１４は、枠体２２と同一の材質（例えば、木材）で形成されたケースに収納される。
【００２９】
チューナー３２は、地上波デジタル放送を受信するための機器であり、受信した地上波デジタル放送に対応する映像信号をマルチフォーマットマトリクススイッチャー２６に伝送する機能を有している。
【００３０】
マルチフォーマットマトリクススイッチャー２６は、映像信号の解像度を変換する機能を有している。一般的に、地上波デジタル放送の解像度は１４４０×１０８０である。これに対して、大型ディスプレイ部１８の解像度は７２０×４８０である。このような場合に、マルチフォーマットマトリクススイッチャー２６は、チューナー３２から伝送されてくる映像信号を大型ディスプレイ部１８の解像度に合わせた映像信号を変換する。
【００３１】
ＬＥＤディスプレイコントローラー２４は、マルチフォーマットマトリクススイッチャー２６によって解像度が変換された映像信号を大型ディスプレイ部１８の画面全体に表示されるように表示を制御する機能を有している。また、大型ディスプレイ部１８を拡張してさらに大きくなった場合に、このＬＥＤディスプレイコントローラー２４によって拡大した大型ディスプレイ部１８の画面サイズに合うように映像信号の出力を制御する。
【００３２】
ＨＤＭＩ切替機２８は、外部からの複数の信号を切り替える機能を有している。ここでは、プロモーションビデオ映像などを繰り返し再生可能なメディアプレーヤー３８やゲーム機３６やパーソナルコンピューター（ＰＣ）３４の出力に接続して、それぞれの映像信号に切り替えることができる。
【００３３】
スピーカーアンプ３０は、アンプとスピーカーとを組み合わせた装置であり、大型ディスプレイ部１８に対応するように迫力のある音が出力できるように出力調整されている。
【００３４】
組み立て式の大型テレビジョン受像機１０を組み立てる工程について図５（ａ）のフローチャートを用いて説明する。最初に、複数のベゼルレスＬＥＤモジュール２０を背面板部１６に面一に並べて整列配置する（Ｓ２）。ここでは、３５個のベゼルレスＬＥＤモジュール２０を５行８列に並べる。
【００３５】
次に、大型ディスプレイ部１８の下方に、画像表示部１４を配置し、画像表示部１４と大型ディスプレイ部１８とを電気的に接続する（Ｓ４）。
【００３６】
次いで、２つの水平枠部２５を構成する枠部２５ａ〜２５ｄと２つの垂直枠部２３とを５行８列に並べられて構成される大型ディスプレイ部１８の外周に装着する（Ｓ６）。ここでは、ボルト部材１７を締め付けることにより、２つの垂直枠部２３が互いに近接する方向に圧力をかけつつ装着し、２つの水平枠部２５が互いに近接する方向に圧力をかける。このとき、適宜圧力を調整することが好ましいが、例えば、２ｋｇ／ｍ・ｓ２〜３ｋｇ／ｍ・ｓ２の圧力を供給することができる。
【００３７】
上述したように、枠体２２の内形（内側の外周）は、大型ディスプレイ部１８の外周よりも若干小さく設定されているため、水平方向及び垂直方向に圧力をかけることで、ベゼルレスＬＥＤモジュール２０が水平方向及び垂直方向に移動し、図３の下図に示されるように、ベゼルレスＬＥＤモジュール２０の間に存在した隙間を消滅させることができる。
【００３８】
なお、ベゼルレスＬＥＤモジュール２０は、磁石２１によって背面板部１６に吸着しているが、磁石２１は裏面全体の中の一部にのみに設けられているため、圧力をかけることで磁力に抗して移動させることが出来る。
【００３９】
また、ボルト部材１７の締め付けによる調整で隙間が消えなかったものが存在した場合に、列単位の圧力の供給を行うボルト部材１９を締め付けることによって、隙間の微調整をすることができる。なお、ここでは、列単位のボルトについて説明したが、もちろん、状況に応じて行単位のボルトによる調整機構を設けてもよい。
【００４０】
上記工程を経て、組み立て式の大型テレビジョン受像機１０が完成する。ここで、組み立て式の大型テレビジョン受像機１０は、上記のように圧力が与えられた状態で組み付けられているため、大型ディスプレイ部１８におけるベゼルレスＬＥＤモジュール２０の間の隙間を消滅させることができる。これにより、ユーザーが近距離で組み立て式の大型テレビジョン受像機１０に映る映像を見た場合であっても、隙間を気にすることなく映像を楽しむことができる。
【００４１】
また、組み立て式の大型テレビジョン受像機１０によれば、大型ディスプレイ部１８を構成する複数のベゼルレスＬＥＤモジュール２０と、枠体２２を構成する２つの水平枠部２５を構成する枠部２５ａ〜２５ｄと２つの垂直枠部２３と分離することが出来る。
【００４２】
これにより、例えば、設置場所がマンションやビルなどでエレベータが小さい場合であっても、バラバラにした状態で運搬することが出来、搬入後に組み付けを行うことができる。したがって、１００インチ以上の大型のものであっても簡便に設置することが出来るため、大型テレビの普及に繋げることができる。
【００４３】
また、一般的な液晶テレビなどは、液晶が損傷すると全体を取り換える必要があるが、組み立て式の大型テレビジョン受像機１０によれば、仮にベゼルレスＬＥＤモジュール２０に傷がついた場合であっても傷がついた部分だけを置き換えることができ、低コストで修理することができるという利点がある。
【００４４】
一般的に、１００インチ以上の大画面は、プロジェクター（映写機）を用いることで実現していたが、部屋を薄暗くした状態で視聴する必要があった。しかしながら、組み立て式の大型テレビジョン受像機１０によれば、自発光素子のベゼルレスＬＥＤモジュール２０で構成されているため、非常に明るく、例えば太陽光が差し込むような場所であっても快適に視聴することができる。
【００４５】
次に、組み立て式の大型テレビジョン受像機１０の変形例について説明する。組み立て式の大型テレビジョン受像機１０の変形例と組み立て式の大型テレビジョン受像機１０との相違は、背面板部１６及び枠体２２が拡張可能な拡張機構を有している点である。
【００４６】
拡張機構としては、背面板部１６及び枠体２２のそれぞれに対して垂直方向及び水平方向に延伸可能なように入れ子状に延伸部が収納された構造を有している。また、この延伸部が延伸して拡張した際の若干の段差を埋めるように平板部材を装着可能な係合部が設けられている。これにより、段差なく枠体２２及び背面板部１６を拡張することができる。
【００４７】
組み立て式の大型テレビジョン受像機１０の変形例の受像機を組み立てる工程について図５（ｂ）のフローチャートを用いて説明する。最初に、背面板部１６及び枠体２２を水平方向及び垂直方向に拡張する（Ｓ８）。このとき、上述したように平板部材を用いて延伸した部分の段差を埋める。
【００４８】
次に、拡張した背面板部１６に対して、追加でベゼルレスＬＥＤモジュール２０を吸着させる（Ｓ１０）。これにより、大型ディスプレイ部１８をさらに大型化させることができる。
【００４９】
Ｓ１０の工程により、拡張された大型ディスプレイ部１８の外周に対して拡張された枠体２２に対してボルト部材１７を締め付けることで圧力をかけつつ装着する（Ｓ１２）。これにより、拡張された部分についてもベゼルレスＬＥＤモジュール２０の隙間を消滅させることができる。これにより、一旦設置した組み立て式の大型テレビジョン受像機１０を拡大させることができる。
【００５０】
このように、組み立て式の大型テレビジョン受像機１０の変形例の受像機によれば、ユーザーが一旦購入した視聴しだした後に、さらに大きなテレビが欲しいと感じたときに必要なだけ拡大することができるという顕著な効果を奏する。  
【００５１】
なお、ここでは、背面板部１６及び枠体２２に拡張機構を備えて、拡張させるものとして説明したが、もちろん、拡張機構を利用せずに、新しい画面サイズに応じた背面板部１６及び枠体２２を準備して大型化してもよい。
【００５２】
また、一般的には、規格サイズに合わせて製造されるが、組み立て式の大型テレビジョン受像機１０によれば、例えば、ユーザーがテレビを設定する居住空間に合わせたオーダーメードサイズにもすることができる。例えば、部屋の壁全面をテレビにすることもできる。
【符号の説明】
【００５３】
１０  大型テレビジョン受像機、１２  大型画面部、１４  画像表示部、１６  背面板部、１７  ボルト部材、１８  大型ディスプレイ部、１９  ボルト部材、２０  モジュール、２１  磁石、２２  枠体、２３  垂直枠部、２４  ディスプレイコントローラー、２５  水平枠部、２５ａ，２５６ｂ，２５ｃ，２５ｄ  枠部、２６  マルチフォーマットマトリクススイッチャー、２８  ＨＤＭＩ切替機、３０  スピーカーアンプ、３２  チューナー、３６  ゲーム機、３８  メディアプレーヤー。
【図１】
2019105743.tif 000003
【図２】
2019105743.tif 000004
【図３】
2019105743.tif 000005
【図４】
2019105743.tif 000006
【図５】
2019105743.tif 000007
【手続補正書】
【提出日】平成30年4月13日(2018.4.13)
【手続補正１】
【補正対象書類名】特許請求の範囲
【補正対象項目名】全文
【補正方法】変更
【補正の内容】
【特許請求の範囲】
【請求項１】
複数のベゼルレスＬＥＤモジュールを背面板部に面一に並べて整列配置するパネル配置工程と、
配置された前記複数のベゼルレスＬＥＤモジュールにより構成される大型ディスプレイ部の外周を覆う枠体を装着する枠体装着工程と、
テレビジョン放送を受信して前記大型ディスプレイ部に画像を表示させる画像表示部を設置する表示部設置工程と、
を備え、
前記枠体は、前記大型ディスプレイ部の外周の垂直方向に沿って装着される２つの垂直枠部と、前記大型ディスプレイ部の外周の水平方向に沿って装着される２つの水平枠部とを含み、
前記背面板部は強磁性体を有し、
前記各ベゼルレスＬＥＤモジュールの少なくとも一部は、前記背面板部に吸着するように磁石が設けられており、
前記枠体装着工程は、前記各ベゼルレスＬＥＤモジュールを前記背面板部に吸着させて仮固定し、前記２つの垂直枠部が互いに近接する方向に圧力をかけつつ装着し、前記２つの水平枠部が互いに近接する方向に圧力をかけつつ装着して、前記複数のベゼルレスＬＥＤモジュール全体を動かすことで前記複数のベゼルレスＬＥＤモジュール全体の隙間をなくすように前記背面板部上を移動させる工程を含むことを特徴とする組み立て式の大型テレビジョン受像機の製造方法。
【請求項２】
請求項１に記載の組み立て式の大型テレビジョン受像機の製造方法において、
前記背面板部及び前記枠体は、拡張可能な拡張機構を有しており、
前記背面板部及び前記枠体を拡張する拡張工程と、
前記大型ディスプレイ部の外周に別の複数のベゼルレスＬＥＤモジュールを整列配置する追加配置工程と、
前記別の複数のベゼルレスＬＥＤモジュールによって拡張された拡張大型ディスプレイ部の外周に対して拡張された前記枠体を装着する拡張枠体装着工程と、
を備えることを特徴とする組み立て式の大型テレビジョン受像機の製造方法。
【手続補正２】
【補正対象書類名】明細書
【補正対象項目名】０００８
【補正方法】変更
【補正の内容】
【０００８】
本発明に係る組み立て式の大型テレビジョン受像機の製造方法は、複数のベゼルレスＬＥＤモジュールを背面板部に面一に並べて整列配置するパネル配置工程と、配置された前記複数のベゼルレスＬＥＤモジュールにより構成される大型ディスプレイ部の外周を覆う枠体を装着する枠体装着工程と、テレビジョン放送を受信して前記大型ディスプレイ部に画像を表示させる画像表示部を設置する表示部設置工程と、を備え、前記枠体は、前記大型ディスプレイ部の外周の垂直方向に沿って装着される２つの垂直枠部と、前記大型ディスプレイ部の外周の水平方向に沿って装着される２つの水平枠部とを含み、前記背面板部は強磁性体を有し、前記各ベゼルレスＬＥＤモジュールの少なくとも一部は、前記背面板部に吸着するように磁石が設けられており、前記枠体装着工程は、前記各ベゼルレスＬＥＤモジュールを前記背面板部に吸着させて仮固定し、前記２つの垂直枠部が互いに近接する方向に圧力をかけつつ装着し、前記２つの水平枠部が互いに近接する方向に圧力をかけつつ装着して、前記複数のベゼルレスＬＥＤモジュール全体を動かすことで前記複数のベゼルレスＬＥＤモジュール全体の隙間をなくすように前記背面板部上を移動させる工程を含むことを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】